(57)【要約】  システムが開示されている。このシステムでは、基地局が、無線ローカルエリアネットワーク（ＷＬＡＮ）に関連して、自動近隣関係（ＡＮＲ）オペレーションを実行する。そして、基地局は、モバイル通信デバイス（ＵＥ）又は移動管理エンティティ（ＭＭＥ）から、ＷＬＡＮのＷＬＡＮ端末ノードに関連づけられた、トランスポートネットワークレイヤ（ＴＮＬ）アドレスを、基地局とＷＬＡＮ端末ノードとの間のコネクションを確立するために取得する。【選択図】図１
2019519965.tif 000002
【特許請求の範囲】
【請求項１】
通信ネットワークの基地局によって実行される方法であって、
無線ローカルエリアネットワーク（ＷＬＡＮ）のノードから、前記ＷＬＡＮの前記ノードとの直接コネクションを有している少なくとも１つの近隣基地局を示す情報を取得する、
方法。
【請求項２】
前記ＷＬＡＮの前記ノードから、前記ＷＬＡＮの前記ノードを識別する情報、前記ＷＬＡＮのアクセスポイント群のリスト、及び、前記ＷＬＡＮを識別するための識別子の少なくとも１つを取得する、
請求項１記載の方法。
【請求項３】
前記ＷＬＡＮを識別するための識別子は、サービスセット識別子（ＳＳＩＤ）、ホモジニアス拡張サービスセット識別子（ＨＥＳＳＩＤ）、及び／又は、基本サービスセット識別子（ＢＳＳＩＤ））のうちの少なくとも１つを含む、
請求項１又は２に記載の方法。
【請求項４】
前記取得された情報に基づいて、ハンドオーバ手順をさらに実行する、
請求項１から３のいずれか１項に記載の方法。
【請求項５】
無線ローカルエリアネットワーク（ＷＬＡＮ）のノードによって実行される方法であって、
前記ＷＬＡＮの前記ノードとのコネクションを有している、少なくとも１つの近隣基地局を示す情報を、基地局へ送信する、
方法。
【請求項６】
前記ＷＬＡＮの前記ノードを識別する情報、前記ＷＬＡＮのアクセスポイント群のリスト、及び、前記ＷＬＡＮを識別するための識別子の少なくとも１つを、前記基地局へ送信する、
請求項５記載の方法。
【請求項７】
前記ＷＬＡＮを識別するための識別子は、サービスセット識別子（ＳＳＩＤ）、ホモジニアス拡張サービスセット識別子（ＨＥＳＳＩＤ）、及び／又は、基本サービスセット識別子（ＢＳＳＩＤ））のうちの少なくとも１つを含む、
請求項５又は６に記載の方法。
【請求項８】
通信ネットワークのための基地局であって、
無線ローカルエリアネットワーク（ＷＬＡＮ）のノードと通信するトランシーバと、
前記ＷＬＡＮの前記ノードから、前記ＷＬＡＮの前記ノードとのコネクションを有している少なくとも１つの近隣基地局を示す情報を取得するコントローラと、
を具備する基地局。
【請求項９】
前記コントローラは、前記ＷＬＡＮの前記ノードから、前記ＷＬＡＮの前記ノードを識別する情報、前記ＷＬＡＮのアクセスポイント群のリスト、及び、前記ＷＬＡＮを識別するための識別子の少なくとも１つを取得する、
請求項８記載の基地局。
【請求項１０】
前記ＷＬＡＮを識別するための識別子は、サービスセット識別子（ＳＳＩＤ）、ホモジニアス拡張サービスセット識別子（ＨＥＳＳＩＤ）、及び／又は、基本サービスセット識別子（ＢＳＳＩＤ））のうちの少なくとも１つを含む、
請求項８又は９に記載の基地局。
【請求項１１】
前記コントローラは、前記取得された情報に基づいて、ハンドオーバ手順をさらに実行する、
請求項８から１０のいずれか１項に記載の基地局。
【請求項１２】
無線ローカルエリアネットワーク（ＷＬＡＮ）のノードであって、
前記ＷＬＡＮの前記ノードとのコネクションを有している、少なくとも１つの近隣基地局を示す情報を、基地局へ送信するトランシーバを具備する、
ノード。
【請求項１３】
ＷＬＡＮ終端（ＷＴ）ノードを有する、
請求項１２記載のノード。
【請求項１４】
請求項８から１１のいずれか１項に記載の基地局と、
請求項１２又は１３に記載のノードと、
を具備するシステム。
【請求項１５】
プログラマブルコンピュータデバイスに請求項１から７のいずれか１項に記載の方法を実行させる、コンピュータが実行可能な命令群を有する、コンピュータプログラム。
【発明の詳細な説明】
【技術分野】
【０００１】
本発明は、通信システムに関する。本発明は、これに限定されるものではないが、特に、第３世代パートナーシッププロジェクト（３ＧＰＰ）標準に基づいて動作する無線通信システム及びその装置、又は、その等価物又はその派生物に関連する。本発明は、これに限定されるものではないが、自動的な近隣関係手順（automatic neighbour relation procedures）に関連する。
【背景技術】
【０００２】
３ＧＰＰ標準の最新の開発は、進化型パケットコア（ＥＰＣ）ネットワーク及び進化型ユニバーサル移動体通信システム（ＵＭＴＳ）地上無線アクセスネットワーク（Ｅ−ＵＴＲＡＮ）のロングタームエボリューション（LTE：Long Term Evolution）と呼ばれている。３ＧＰＰ標準の下では、ＮｏｄｅＢ（又はＬＴＥにおけるｅＮＢ）は、通信デバイスがこれを介してコアネットワークに接続して他の通信デバイス又はリモートサーバと通信する、基地局である。簡単にするために、本出願は、そのような複数の基地局を参照するために、基地局という用語を使用する。
【０００３】
通信デバイスは、例えば、携帯電話、スマートフォン、ユーザ機器、パーソナルデジタルアシスタント、ラップトップ／タブレットコンピュータ、ウェブブラウザ、電子ブックリーダなどのようなモバイル通信デバイスであってもよい。このようなモバイル（又は通常静止している）デバイスは、通常、ユーザによって操作される。しかしながら３ＧＰＰ規格は、所謂「物のインターネット（ＩｏＴ：Internet of Things）」デバイス（例えば、狭帯域ＩｏＴ（ＮＢ−ＩｏＴ）デバイス）をネットワークに接続することを可能にする。ＩｏＴデバイスは、典型的には、種々の測定機器、遠隔測定機器、観測機器、トラッキングトレーシングデバイス、車載安全システム、車両メンテナンススステム、ロードセンサ、デジタルビルボード、ポイントオブセイル（ＰＯＳ）端末、遠隔制御システムのような、自動化された機器を含む。いくつかのＩｏＴデバイスは非固定デバイス（例えば、車両）に埋め込まれるか又は動物若しくは人に取り付けられ得るが、ＩｏＴデバイスは自動販売機、路側センサ、ＰＯＳ端末などの、（通常）固定のデバイスの一部として実装され得る。ＩｏＴデバイスは、マシンタイプ通信（ＭＴＣ）通信デバイス又はマシンツーマシン（Ｍ２Ｍ）通信デバイスと呼ばれることもあることが理解されよう。説明を簡単にするために、本出願は、明細書のモバイルデバイスを参照するが、説明された技術は、人間の入力又はメモリに記憶されているソフトウェアの命令によって制御されるか否かに関わらず、データを送信／受信するために通信ネットワークに接続することができる任意の通信デバイス（モバイル及び／又は通常固定の通信デバイス）に実装され得ることが理解されるであろう。
【０００４】
多くのモバイルデバイスは、８０２．１１ファミリの標準（一般にＷｉ-Ｆｉと呼ばれる）に準拠した通信技術など、ＬＴＥ以外の通信技術をサポートしている。８０２．１１規格は、無線ローカルエリアネットワーク（ＷＬＡＮ）での使用のために電気電子技術者協会（ＩＥＥＥ）によって規定されている。
【０００５】
（ＷＬＡＮ等のような）無免許のスペクトルは、セルラーオペレータにとってますます重要になってきている。事業者の要求に応えるために、３ＧＰＰは、所謂ＬＴＥ−ＷＬＡＮアグリゲーション（ＬＷＡ）及びＩＰｓｅｃトンネル（ＬｗＩＰ）を用いたＬＴＥ  ＷＬＡＮ無線レベル統合を含む、いくつかのＷＬＡＮインターワーキング機能を定めている。
【０００６】
効果的に、ＬＷＡ（又は最近では「拡張ＬＷＡ」又は「ｅＬＷＡ」）は、ＬＴＥリソース及びＷＬＡＮリソースを同時に利用するために単一のベアラを構成することによって、ＬＴＥネットワークとWLANと間のインターワーキング及び無線レベル統合を容易にしている。ＬＷＡは、３ＧＰＰ技術仕様書（ＴＳ）３６．３００  Ｖ１３．３．０、セクション２２Ａ．１に記載されており、その内容は参照により本明細書に組み込まれる。
【０００７】
ＬＷＡは次の２つの展開シナリオをサポートしている。
−併置（Collocated）−統合されたＬＴＥ基地局（ｅＮＢ）及びＷＬＡＮアクセスポイント（ＡＰ）／アクセスコントローラ（ＡＣ）。
−非併置（Non-collocated）−３ＧＰＰで規定されたインタフェースＸｗを使用してＷＬＡＮターミネーション（ＷＴ）論理ノードを介して接続されたｅＮＢ及びＷＬＡＮ  ＡＰ／ＡＣ。
【０００８】
Ｘｗインタフェースは、制御プレーン及びデータプレーンの両方をサポートし、ＷＴ論理ノードで終端する。
【０００９】
ＬＷＡは、無線アクセスネットワーク（ＲＡＮ）レベルにおいてＬＴＥ及びＷＬＡＮを集約することを許容し、ＷＬＡＮ  ＡＰ／ＡＣは、（Ｘｗを介して）ＬＴＥ基地局と相互作用する。Ｅ−ＵＴＲＡＮ基地局は、ＵＥによって提供される測定報告（measurement reporting）に基づいて、そのセル内の互換性のあるユーザ機器（ＵＥ）についてＬＷＡを制御する、つまり、ＬＴＥリソースのみを用いるか、又はＬＴＥリソース及びＷＬＡＮリソースの両方を使用するかどうかについて、ＬＷＡを制御する。
【００１０】
基地局は、例えばそのモバイルデバイスによるＷＬＡＮメジャメントに基づいて、ＬＷＡが活性化されている各モバイルデバイスについて、ＷＬＡＮ移動性（WLAN mobility set）セットを構成（設定）する。ＷＬＡＮ移動性セットは、（それらに関連づけられたサービスセット識別子及び／又はこれと同等のものによって識別される）複数のＷＬＡＮ  ＡＰのグループであり、ＷＬＡＮ移動性セットはＵＥ固有（UE-specific）である。特定のＵＥに対して一度に構成されＷＬＡＮ移動性セットは１つだけであり、構成されたＷＬＡＮ移動性セットにおけるすべてのＷＬＡＮは、同じＷＴに接続される。ＷＬＡＮ移動性セット内の移動性は、モバイルデバイスによって制御される、つまり、基地局に対して透過的である。しかしながら、ＷＬＡ移動性セットの外の移動性は、基地局によって制御される。
【発明の概要】
【発明が解決しようとする課題】
【００１１】
しかしながら、基地局の機能性を著しく複雑にすることなく、基地局とＷＬＡＮとの間で自律的にＸｗコネクションを確立することは現時点では不可能である。
【００１２】
例えば、３ＧＰＰでは比較的複雑なネットワークベースのソリューションが検討されており、このソリューションは、そのＷＴとの適切なＷｘコネクションをセットアップできる前にそのＷＴのアドレスを取得するために、各基地局がドメインネームシステム（ＤＮＳ：domain name system）ルックアップサーバに接続する必要がある。このネットワークベースのソリューションは、例えば、3GPP Tdocs R3-160345、R3-160323、及びR3-160545に記述されており、その内容は参照によってここに組み入れられる。R3-160323に記述されているネットワークベースのソリューションの更なる詳細は、図５及び図６に示されている。
【００１３】
更に、影響を受けたＵＥがＷＬＡＮによってサービスされる、ｅＮＢ間の移動性を可能にする方法、及び、ＵＥの移動性の結果としてサービングＷＴに変更があるのかないのかについて、現在明らかではない。
【００１４】
従って、本発明の好ましい例示的な実施形態は、上記の問題に対処するか又は少なくとも部分的に対処する方法及び装置を提供することを目的とする。
【００１５】
当業者の理解を容易にするために、本発明は３ＧＰＰシステム（ＵＭＴＳ、ＬＴＥ）の文脈で詳細に記述されるが、本発明の原理は、通信デバイス又はユーザ機器（ＵＥ）が少なくとも１つの無線アクセス技術を用いてコアネットワークにアクセスする、他のシステムに適用され得る。
【課題を解決するための手段】
【００１６】
１つの例示的な態様では、本発明は、通信ネットワークのための基地局を提供し、前記基地局は、通信デバイスと通信するように構成されたトランシーバと、少なくとも１つの無線ローカルエリアネットワーク（ＷＬＡＮ）に関して自動近隣関係オペレーション（automatic neighbour relation operation）を実行するように構成されたコントローラと、を具備し、前記コントローラは、前記通信デバイス及びモビリティ管理エンティティの少なくとも１つから、前記無線ローカルエリアネットワークのノードに関連付けられたアドレスを取得し、前記取得されたアドレスを用いて、前記ＷＬＡＮの前記ノードとの接続を確立するように構成されている。
【００１７】
別の例示的な態様では、本発明は、通信ネットワークのための基地局を提供し、前記基地局は、近隣基地局（neighbouring base station）と通信するように構成されたトランシーバと、前記近隣基地局及び無線ローカルエリアネットワークのアクセスポイントのうちの少なくとも１つから、前記近隣基地局が前記ＷＬＡＮのノードとの直接コネクション（direct connection）を有していることを示す情報を取得するように構成されたコントローラと、を具備する。
【００１８】
別の例示的な態様では、本発明は、通信ネットワークのための基地局を提供し、前記基地局は、近隣基地局と通信するように構成されたトランシーバと、前記近隣基地局がデュアルコネクティビティ（ＤＣ）アレンジメントにおいてセカンダリ基地局（ＳｅＮＢ）として動作可能な基地局との直接コネクションを有していることを示す情報を、前記近隣基地局から取得するように構成されたコントローラとを具備する。
【００１９】
１つの例示的な態様において、本発明は、通信ネットワークのためのモビリティ管理エンティティを提供し、前記モビリティ管理エンティティは、少なくとも１つの無線ローカルエリアネットワーク（ＷＬＡＮ）に関して自動近隣関係オペレーションを実行する基地局による要求に応じて、前記ＷＬＡＮのノードに関連づけられたアドレスを取得するように構成されたコントローラと、前記ＷＬＡＮの前記ノードに関連づけられた、前記取得されたアドレスを、前記基地局へ送信するように構成されたトランシーバとを具備する。
【００２０】
別の例示的な態様では、本発明は、通信ネットワークのための通信デバイスを提供し、前記通信デバイスは、無線ローカルエリアネットワーク（ＷＬＡＮ）のアクセスポイントから、前記ＷＬＡＮのノードのアドレスを識別する情報を取得するように構成されたコントローラと、前記ＷＬＡＮに関連する自動近隣関係オペレーションの一部として、前記取得された情報を前記基地局へ提供するように構成されたトランシーバとを具備する。
【００２１】
更なる例示的な態様において、本発明は、通信ネットワークのためのアクセスポイントを提供し、前記アクセスポイントは、前記アクセスポイントが属する無線ローカルエリアネットワーク（ＷＬＡＮ）のノードのアドレスをブロードキャストするように構成されたトランシーバを具備する。
【００２２】
本発明の例示的な態様は、対応するシステム、方法、及び、プログラム可能なプロセッサを、上記された又は特許請求の範囲に記載された、前記複数の態様及び可能性に記述されたような方法を実行するようにプログラムするように、及び／又は、適切に適合したコンピュータを、特許請求の範囲のいずれかに記載された装置を提供するようにプログラムするように、動作可能な、命令群を記録しているコンピュータ可読記録媒体のようなコンピュータプログラム製品まで及ぶ。
【００２３】
本明細書（特許請求の範囲を含む）及び／又は図面に示された、各特徴は、他の開示された及び／又は図示された特徴と独立して（又は組み合わせて）、本発明に組み込まれてもよい。これに限定されるものではないが、特に、特定の独立クレームに従属するクレームのいずれかの特徴は、該独立クレームに任意の組み合わせで又は個別に組み入れられてもよい。
【００２４】
本発明の例示的な実施形態を、添付の図面を参照して例として以下に説明する。
【図面の簡単な説明】
【００２５】
【図１】図１は、本発明の例示的な実施形態が適用され得る、セルラ電気通信システムを概略的に示す。
【図２】図２は、図１に示すシステムの一部を形成するモバイルデバイスのブロック図である。
【図３】図３は、図１に示すシステムの一部を形成する基地局のブロック図である。
【図４】図４は、図１に示すシステムの一部を形成するモビリティ管理エンティティのブロック図である。
【図５】図５は、現在提案されているネットワークベースのソリューションを図示している。
【図６】図６は、現在提案されているネットワークベースのソリューションを図示している。
【図７】図7は、本発明の例示的な実施形態が図１のシステムに実装され得る例示的な方法を示すタイミング図である。
【図８】図８は、本発明の例示的な実施形態を図１のシステムに実装することができる例示的な方法を示すタイミング図である。
【図９】図９は、本発明の例示的な実施形態が図１のシステムに実装され得る例示的な方法を示すタイミング図である。
【発明を実施するための形態】
【００２６】
＜概要＞
図１は、電気通信ネットワーク１を概略的に図示し、電気通信ネットワーク１では、複数のモバイルデバイス３（複数の移動電話及び／又は他の複数のユーザ機器）が、基地局５（例えば、ＬＴＥ基地局又はｅＮＢ）を用いるモバイルネットワークオペレータ（ＭＮＯ）ネットワーク２、及び、適切なＥ−ＵＴＲＡ無線アクセス技術（ＲＡＴ：mobile network operator）を用いる（図１には図示されていない）コアネットワークを介して、互いに通信することができる。当業者であれば分かるように、３つのモバイルデバイス３及び１つの基地局５が図示の目的で図１に示されているが、実装される場合、このシステムは、通常、他の複数の基地局及び通信デバイスを含む。
【００２７】
各基地局５は、１つ又は複数の関連するセルを運営する。複数のモバイルデバイス３は、セルを運営している基地局５との無線リソース制御（ＲＲＣ）コネクションを確立することによって、（それらの位置、及び、場合によっては信号条件（signal conditions）、加入者データ（subscription data）、能力（capability）などの、他の複数のファクタに基づいて）適切なセルに接続する。
【００２８】
また、ＭＮＯネットワーク２は、（特に）情報／ＤＮＳサービスノード（Info/DNS service node）７及びモビリティ管理エンティティ（ＭＭＥ）９を含む。情報／ＤＮＳサービスノード７は、電気通信ネットワーク１の各ネットワークノードに関連する、それぞれの複数のトランスポートネットワーク層（ＴＮＬ：transport network layer）アドレスを格納する責任を負う。ＭＭＥ９は、通信ネットワーク１内の複数のモバイルデバイス３の複数の位置の監視を続けること、及び、基地局のセルにおいて複数のモバイルデバイスによって用いられる複数の通信ベアラを構成する際に、サービング基地局５を支援することに、責任を負うネットワークノードである。
【００２９】
各基地局５は、Ｓ１インタフェースを介してコアネットワーク（ＭＭＥ９）に接続され、近隣の（隣接する）複数の基地局は、Ｘ２インタフェースを介して互いに接続される。コアネットワーク（ＭＮＯネットワーク２）は、通常、複数の基地局５とそのコアネットワークの外に設けられた（インターネットのような）他の複数のネットワーク及び／又は複数のサーバとの間の接続を提供するための、１つ又は複数のサービスゲートウェイ（Ｓ−ＧＷ）及びパケットデータネットワークゲートウェイ（Ｐ−ＧＷ）を含んでいる。
【００３０】
理解されるように、いくつかのモバイルデバイス３は、そのＷＬＡＮ１２の適切なアクセスポイント１５を介して、ＷＬＡＮ１２（例えば、「ホットスポットオペレータ１のＷＬＡＮ１２Ａ」及び／又は「ホットスポットオペレータ２のＷＬＡＮ１２Ｂ」）に接続することもできる。ＷＬＡＮ１２Ａ及びＷＬＡＮ１２Ｂ（及び、それ故、複数のアクセスポイント１５）は、それぞれのＷＴノード１７Ａ／１７Ｂを介して基地局５に接続される。
【００３１】
基地局５が互換性のあるモバイルデバイス３のＬＷＡ機能を可能にするとき、基地局５は、対応するＷＴノード１７を介してＷＬＡＮ１２を構成して、（基地局５を介してユーザデータを通信することに同時に）１つ又は複数のアクセスポイント１５を介してユーザデータを通信する。
【００３２】
電気通信ネットワーク１は、例えば、特定の基地局のカバレッジ（セル）の下でＷＬＡＮのディスカバリの間に取得された情報を利用することによって、ＬＷＡのための自動近隣関係（ＡＮＲ：Automatic Neighbour Relation）を有益に利用する。
【００３３】
具体的には、どのＷＬＡＮ１２がモバイルデバイス３によって使用され得るか、つまり、どのＷＬＡＮ１２が基地局５のセルとオーバラップしているかを決定するために、電気通信ネットワーク１の複数のノードは、適切なＡＮＲ機能を備えて構成され、過度の複雑さ無しに（例えば、近隣の基地局間のＸ２コネクションと同様の方法で）、近隣の（隣接する）アクセスポイント１５に関連する基地局５とＷＴノード１７との間のＸｗコネクションが自立的にセットアップされるようにする。
【００３４】
より詳細には、このシステムにおいて、基地局５は、各近隣のＷＬＡＮ１２に関連づけられた、適切なＷＬＡＮ識別子（例えば、サービスセット識別子（ＳＳＩＤ）、ホモジニアス拡張サービスセット識別子（ＨＥＳＳＩＤ）、基本サービスセット識別子（ＢＳＳＩＤ）及び／又はそれに似たもの）を取得するように構成されている。そうするために、基地局５は、モバイルデバイス３を、近隣の複数のアクセスポイント１５の検出を可能にする適切なＷＬＡＮメジャメントを実行して報告し、且つ、検出された複数のＷＬＡＮ１２／アクセスポイント１５のＷＬＡＮ識別子を基地局５へ報告するように、設定することができる。
【００３５】
ＷＬＡＮ識別子に基づいて、基地局５は、ＷＬＡＮ識別子に関連付けられたＷＴノード１７、つまり、モバイルデバイス３によって検出された１つ又は複数のアクセスポイント１５と同じＷＬＡＮ１２に属するＷＴノードのＴＮＬアドレスを（ＭＭＥ９又はモバイルデバイス３から）取得するように構成されている。基地局５がＭＭＥ９からＷＴノード１７のＴＮＬアドレスを取得する場合、ＭＭＥ９は、モバイルデバイス３によって報告されたＷＬＡＮ識別子に対応するＴＮＬアドレスを取得するために、情報サービス（ＤＮＳ／Fully Qualified Domain Name（ＦＱＤＮ））ノード７に適切なクエリを実行するように、構成されてもよい。基地局５がＷＴノード１７のＴＮＬアドレスをモバイルデバイス３から取得する場合、基地局５は、そのモバイルデバイス３を、検出されたアクセスポイント１５によってブロードキャストされた情報からＷＴノード１７のＴＮＬアドレスを取得するように（そして、ＴＮＬアドレスを基地局５へ報告するように）、設定してもよい。ＷＴアドレスのブロードキャストは、許可された複数のＵＥ（この例では、モバイルデバイス３）及び／又は基地局５のみが詳細を解読できるように、アクセスポイント１５によって暗号化されてもよい。
【００３６】
有益には、取得られたＴＮＬアドレスを用いて、基地局５は、適切なＷＴノード１７に自律的に接続し、モバイルデバイス３によって検出された近隣ＷＬＡＮ１２を介してモバイルデバイス３についてのＬＷＡ機能を構成（設定）することができる。基地局５が情報サービス（例えば、ＤＮＳ）ノード７に問い合わせるための機能を実装する必要はない。
【００３７】
特に有益な例では、近隣の複数の基地局５は、それらによって用いられるＷＴノード１７について互いに通知するように構成されてもよい。例えば、近隣の複数の基地局５は、用いられるＷＴノード１７及び／又は任意の関連するＷＬＡＮ  ＩＤを識別する情報を含む、適切なシグナリングメッセージを交換するように、構成されてもよい。有益なことに、交換された情報は、ソース基地局が、ハンドオーバの場合に、モバイルデバイスのための適切なターゲット基地局を選択するのを、助けることができる。
【００３８】
従って、有益には、ソース基地局は、ハンドオーバがＷＴノードの変更を必要とするか否かを判定することができ、ソース基地局は、ターゲット基地局のオペレーションをアシストして、ハンドオーバの間のモバイルデバイスについての無線リンク失敗（radio link failure）のリスクを回避又は最小限に抑えるために、ハンドオーバタイプに基づいて、ターゲット基地局と何の情報を交換する必要があるかを知ることができる。
【００３９】
＜モバイル機器＞
図２は、図１に示すモバイルデバイス３（例えば、携帯電話又は他のユーザ機器）の主要な複数の要素を示すブロック図である。図示されているように、モバイルデバイス３は、１つ又は複数のアンテナ３３を介して基地局５と信号を送受信するように動作可能なトランシーバ回路３１を有する。モバイルデバイス３は、モバイルの動作を制御するコントローラ３７を有する。コントローラ３７は、メモリ３９に関連付けられ、トランシーバ回路３１に接続されている。モバイルデバイス３は、その動作に必ずしも必要ではないが、勿論、関連するモバイルデバイス３のすべての通常の機能（例えば、 ユーザインタフェース３５）を有していてもよく、これは、必要に応じて、ハードウェア、ソフトウェア、及びファームウェアのいずれか１つ又は任意の組み合わせによって、提供されてもよい。ソフトウェアは、メモリ３９に予めインストールされていてもよく、及び／又は、電気通信ネットワークを介して又は取り外し可能なデータ記憶デバイス（ＲＭＤ：data storage device）から、ダウンロードされてもよい。
【００４０】
コントローラ３７は、この例では、メモリ３９内に記憶されたプログラム命令又はソフトウェア命令によって、モバイルデバイス３の全体的な動作を制御するように、構成されている。図示のように、これらのソフトウェア命令は、とりわけ、オペレーティングシステム４１と、通信制御モジュール４３と、ＬＴＥモジュール４５と、ＷＬＡＮモジュール４７と、ＡＮＲモジュール４９とを含む。
【００４１】
通信制御モジュール４３は、モバイルデバイス３とそのサービング基地局５／アクセスポイント１５（及び更なる複数のモバイルデバイス及び／又は複数のネットワークノードのような、サービング基地局５／アクセスポイント１５に接続された他の複数の通信デバイス）との間の通信を制御するように、動作し得る。
【００４２】
ＬＴＥモジュール４５は、３ＧＰＰ規格（例えば、ＬＴＥ）に従って動作する基地局５との通信を担当する。ＷＬＡＮモジュール４７は、８０２．１１ファミリの規格（例えばＷｉ-Ｆｉ）に従って動作するＷＬＡＮ（１つ又は複数のＡＰ）と通信する役割を担う。モバイルデバイス3に対してＬＷＡがイネーブルされると、モバイルデバイス３は、基地局５によって提供される、関連するＬＷＡ構成（LWA configuration）に従って、ＬＴＥモジュール４５及びＷＬＡＮモジュール４７を同時に用いて通信する。
【００４３】
ＡＮＲモジュール４９は、自動近隣関係に関する複数の手順を担当し、該複数の手順は、モバイルデバイス３にサービスする基地局５についての近隣として追加されるべきＷＴノード１７に関連する、ＳＳＩＤ、ＨＥＳＳＩＤ、ＢＳＳＩＤ、ＴＮＬアドレスのうちの少なくとも１つを取得することを含む。
【００４４】
＜基地局＞
図３は、図１に示す基地局５の主要な複数の要素を示すブロック図である。図示のように、基地局５は、１つ又は複数のアンテナ５３を介して（モバイルデバイス３／ユーザ機器のような）複数の通信デバイスと信号を送受信するためのトランシーバ回路５１と、コアネットワーク（例えば、ＭＭＥ９）と信号を送受信するためのコアネットワークインタフェース５５（例えば、Ｓ１インタフェース）と、複数の近隣基地局と信号を送受信するための基地局インタフェース５６（例えば、Ｘ２インタフェース）とを有している。基地局５は、基地局５の動作を制御するコントローラ５７を有する。コントローラ５７は、メモリ５９に関連付けられている。図３には必ずしも示される必要はないが、基地局５は、勿論、セルラネットワーク基地局の通常の機能のすべてを有しており、これは、必要に応じて、ハードウェア、ソフトウェア、及びファームウェアの任意の１つ又は任意の組み合わせによって、提供されてもよい。ソフトウェアは、メモリ５９に予めインストールされてもよく、及び／又は、通信ネットワーク１を介して又は例えば取り外し可能なデータ記憶デバイス（ＲＭＤ）から、ダウンロードされてもよい。コントローラ５７は、この例では、メモリ５９内に記憶されたプログラム命令又はソフトウェア命令によって、基地局５の全体的な動作を制御するように、構成されている。図示のように、これらのソフトウェア命令は、とりわけ、オペレーティングシステム６１と、通信制御モジュール６３と、測定制御モジュール６５と、ＷＬＡＮ管理モジュール６７と、Ｘｗモジュール６８と、ＡＮＲモジュール６９とを含む。
【００４５】
通信制御モジュール６３は、基地局５と、モバイルデバイス３（ユーザ機器）と、基地局５に接続された他のネットワークエンティティとの間の通信を制御するように、動作可能である。通信制御モジュール６３は、また、（関連する複数の無線ベアラを介した）ダウンリンクユーザトラヒック、及び、例えばＬＷＡオペレーション及び／又はモバイルデバイス３の移動を管理するための制御データを含む、基地局５に関連する複数の通信デバイスへ送信される制御データの、別々の複数のフローを制御する。
【００４６】
測定制御モジュール６５は、基地局５に接続されたモバイルデバイス３についての（ＬＷＡに関連する複数のＷＬＡＮメジャメントを含む）複数のメジャメントを設定する役割、及び、そのようなメジャメントに関連する測定結果を受信して処理する役割を担う。得られた測定結果に基づいて、測定制御モジュール65は、モバイルデバイス３のＬＷＡオペレーション及び／又はモビリティ（例えば、ハンドオーバ）を制御する複数の他のモジュールをアシストする。
【００４７】
ＷＬＡＮ管理モジュール６７は、互換性のあるモバイルデバイス３のためのＬＷＡ機能を制御することを含む、基地局５によってサービスされるモバイルデバイス３の複数の近隣ＷＬＡＮ（neighbouring WLANs）へのアクセスを管理する役割を担う。また、ＷＬＡＮ管理モジュール６７は、ＬＷＡがイネーブルされた各モバイルデバイス３のための適切なＷＬＡＮモビリティセットを維持する役割を担う。
【００４８】
Ｘｗモジュール６８は、Ｘｗアプリケーションプロトコル（Ｘｗ−ＡＰ）を用いて、近隣ＷＴノード１７と通信する役割を担う。図３には示されていないが、基地局５は、また、Ｘ２アプリケーションプロトコル（Ｘ２−ＡＰ）を用いて、近隣の基地局５と通信するための適切なＸ２モジュールを有していてもよい。
【００４９】
ＡＮＲモジュール６９は、アクセスポイント１５に関連するＳＳＩＤ／ＨＥＳＳＩＤ／ＢＳＳＩＤ及び基地局５についての近隣装置として追加されるべきＷＴノード１７に関連付けられたＴＮＬアドレスのうちの少なくとも１つを取得することを含む、複数の自動近隣関係（automatic neighbour relations）に関連する手順を担当する。
【００５０】
＜モビリティ管理エンティティ＞
図４は、図１に示すモビリティ管理エンティティ（ＭＭＥ）９の主要な要素を示すブロック図である。図示するように、モビリティ管理エンティティ９は、基地局インタフェース７５（例えば、Ｓ１インタフェース）を介して、基地局５（及び／又は基地局５に接続された複数の通信デバイス）との間で信号を送受信するトランシーバ回路７１を有する。モビリティ管理エンティティ９は、モビリティ管理エンティティ９の動作を制御するコントローラ７７を有する。コントローラ７７は、メモリ７９に関連付けられている。図４には必ずしも示されていないが、モビリティ管理エンティティ９は、セルラ電話ネットワークモビリティ管理エンティティ（cellular telephone network mobility management entity）の通常の機能のすべてを有しており、これは、必要に応じて、ハードウェア、ソフトウェア、及びファームウェアの任意の１つ又は任意の組み合わせによって、提供されてもよい。ソフトウェアは、メモリ７９に予めインストールされてもよく、及び／又は、通信ネットワーク１を介して又は取り外し可能なデータ記憶装置（ＲＭＤ）から、ダウンロードされてもよい。コントローラ７７は、この例では、メモリ７９内に格納されたプログラム命令又はソフトウェア命令によって、モビリティ管理エンティティ９の全体的な動作を制御するように、構成されている。図示するように、これらのソフトウェア命令は、とりわけ、オペレーティングシステム８１と、通信制御モジュール８３と、設定転送モジュール（configuration transfer module）８５と、問合せモジュール（query module）８６とを含む。
【００５１】
通信制御モジュール８３は、モビリティ管理エンティティ９と、基地局５（基地局５に接続されたモバイルデバイス３を含む）と、モビリティ管理エンティティ９に接続された他のネットワークエンティティとの間の通信を制御するように、動作可能である。
【００５２】
設定転送モジュール８５は、ＭＭＥ９と接続された基地局５との間のＡＮＲ設定データ（ANR configuration data）の転送に関するメッセージをハンドリング（生成、送信、受信）する役割を担う。例えば、設定データは、アクセスポイント１５に関連づけられたＳＳＩＤ／ＨＥＳＳＩＤ／ＢＳＳＩＤ及びＷＴノード１７に関連づけられたＴＮＬアドレスのうちの少なくとも１つを含む。
【００５３】
問合せモジュール８６は、ＬＷＡに関する複数のＡＮＲ手順のための情報サービス／ＤＮＳノードに問い合わせる役割を担う。例えば、クエリモジュール８６は、ＭＭＥ９に接続されている基地局５についての近隣装置として追加されるべきＷＴノード１７に関連づけられたＴＮＬアドレスを得るために、完全修飾ドメイン名（ＦＱＤＮ：Fully Qualified Domain Name）手順及び／又はアクセスネットワーククエリプロトコル（ＡＮＱＰ）手順を用いてもよい。
【００５４】
上記の説明では、多数の別個のモジュール（通信制御モジュール及びＡＮＲモジュールなど）を有するものとして、理解を容易にするために、モバイルデバイス３、基地局５、及びモビリティ管理エンティティ９が記載されている。これらのモジュールは、例えば既存のシステムが本発明を実施するように改変された特定の用途のために、このように提供されてもよいが、例えば、当初から本発明の特徴を考慮して設計されたシステムにおいて、全体的なオペレーティングシステムやコードに組み込まれていてもよく、このため、これらのモジュールは、別々の複数のエンティティとして認識されなくてもよい。また、これらのモジュールは、ソフトウェア、ハードウェア、ファームウェア、又は、これらの組み合わせによって、実装されてもよい。
【００５５】
モバイルデバイスがそのサービング基地局によってＬＷＡのために構成され、且つ、ＡＮＲ及びモビリティ手順が自律的に提供される、上記のシナリオのより詳細な説明を（図５−８を参照して）行う。
【００５６】
＜ネットワークベースのアプローチ＞
完全性のために、図５及び６は、3GPP Tdoc no. R3-160323に従った、現在提案されているネットワークベースのＡＮＲアプローチが図示されている。
【００５７】
図示されるように、基地局５（ｅＮＢ）は、ＷＴノード１７との適切なＸｗコネクションをセットアップできる前にＷＴノード１７のアドレスを取得するために、「情報サービス（Info Service）」（例えば、ＤＮＳルックアップサーバ及び／又は類似のもの）へ接続する必要がある。これは、ＦＤＱＮ、ＡＮＱＰ、及び／又はジェネリック広告サービス（ＧＡＳ：Generic Advertisement Service）能力と共にｅＮＢ側にアサインされるべきドメインネームを必要とするが、情報サービスは、ＤＮＳルックアップサーバであってもよい。同様の機能性は、従来、（例えば、近隣の基地局に関するＡＮＲのために）ＭＭＥ９によって実行されており、（例えばスケーラブルではない可能性があるため）各ｅＮＢにおいてこの機能を実現することは実現可能ではない。
【００５８】
＜オペレーション−第１の例＞
図７は、基地局５（ｅＮＢ）とＷＴノード１７との間のＸｗコネクションをセットアップするためのＡＮＲ手順を実行するときにシステム１の要素によって実行される例示的なプロセスを示すタイミング図（メッセージシーケンスチャート）である。
【００５９】
最初に、ステップＳ１に一般的に示されるように、（その測定制御モジュール６５を用いる）基地局５は、モバイルデバイス３（ＵＥ）を、モバイルデバイス３の近くにある１つ又は複数のＷＬＡＮ１２を測定するように、設定する。モバイルデバイス３は、（そのＷＬＡＮモジュール４７を用いて）適切なメジャメントを実行し、その後、そのＬＴＥモジュール４５を用いて、モバイルデバイス３は、ステップＳ２において、適切にフォーマットされたＷＬＡＮメジャメントレポートを生成して、基地局５へ送信する。図示されているように、ＷＬＡＮメジャメントレポートは、（モバイルデバイスのＡＮＲモジュール４９を用いて取得された）各測定されたアクセスポイント１５に関連付けられた適切なＳＳＩＤ／ＨＥＳＳＩＤ／ＢＳＳＩＤを含む。ＷＬＡＮメジャメントレポートは、適切にフォーマットされた「ＳＯＮ設定転送（SON Configuration Transfer）」メッセージを含んでいてもよく、また、各測定されたアクセスポイント１５に関連するそれぞれのＳＳＩＤ／ＨＥＳＳＩＤ／ＢＳＳＩＤは、適切な情報要素（ＩＥ：information element）、例えば、下記テーブル１に示されるような「ターゲットＡＰ−ＩＤリスト（Target AP-ID List’ IE）」ＩＥに含まれてもよい。
【００６０】
この例では、モバイルデバイス３は、近隣ＷＬＡＮ（neighbour WLAN）として基地局５について未だ設定されていないＷＬＡＮ１２のアクセスポイント１５を発見した。その新しいアクセスポイント１５／ＷＬＡＮ１２は、ステップＳ２で送信されたメジャメントレポートに含まれるＳＳＩＤ／ＨＥＳＳＩＤ／ＢＳＳＩＤによって識別される。
【００６１】
識別されたアクセスポイント１５／ＷＬＡＮ１２のＷＴノード１７を近隣として設定するために、基地局５は、適切にフォーマットされたメッセージを（そのＡＮＲモジュール６９を用いて）生成し、ステップＳ３において、適切にフォーマットされたメッセージ（例えば、ｅＮＢ設定転送メッセージ（eNB configuration transfer message）及び／又は他の適切なＳ１メッセージ）をＭＭＥ９に送信する。このメッセージに、基地局５は、上記のアクセスポイント１５に関連付けられたＳＳＩＤ／ＨＥＳＳＩＤ／ＢＳＳＩＤを含める。
【００６２】
このメッセージに応答して、ＭＭＥ９は、ｅＮＢ設定転送メッセージ内のＳＳＩＤ／ＨＥＳＳＩＤ／ＢＳＳＩＤによって識別されるアクセスポイント１５と同じＷＬＡＮ１２に属するＷＴノード１７に関連付けられたＴＮＬアドレスを取得する。この例では、ＭＭＥ９は、適切にフォーマットされたメッセージ（例えばＦＱＤＮクエリ）を（そのクエリモジュール８６を用いて）生成して、ステップＳ４において、上記のＷＴノード１７に関連付けられたＴＮＬアドレスを要求している情報サービスノード（info service node）７（例えば、ＤＳＮルックアップサーバ／ＡＮＱＰノード）へ送信する。ステップＳ５に一般的に示されているように、情報サービスノード７は、ＭＭＥのクエリに対する適切な応答を返す。この応答は、（ＳＳＩＤ／ＨＥＳＳＩＤ／ＢＳＳＩＤによって識別されるアクセスポイント１５のＷＬＡＮ１２の）ＷＴノード１７に関連付けられたＴＮＬアドレスを含んでいる。また、情報サービスノード７からの応答は、検出されたアクセスポイント１５／ＷＴノード１７がＬＷＡをサポートしているかどうか、ＷＬＡＮ１２が任意のアクセス制限、関連する公衆陸上移動ネットワーク（ＰＬＭＮ：public land mobile network）ＩＤ、及び／又はこれに類似のものを有しているかどうかを識別する情報を含んでいてもよい。
【００６３】
代替的に、ＭＭＥ９は、（例えば、ＴＮＬアドレスがＭＭＥ９で既に利用可能である場合）そのローカルメモリ７９からＴＮＬアドレスを取り出してもよい。したがって、ステップＳ４及びＳ５は、任意である（又は、ステップＳ３の前に実行されてもよい）。
【００６４】
ＭＭＥ９がＷＴノード１７のＴＮＬアドレスを（情報サービスノード７又はローカルメモリ７９から）取得すると、ＭＭＥ９は、（その設定転送モジュール８５を用いて）適切にフォーマットされたメッセージ（例えば、ＭＭＥ設定転送メッセージ及び／又は他の適切なＳ１メッセージ）を生成して、ステップＳ６において、基地局５へ送信する。このメッセージに、ＭＭＥ９は、上記のＷＴノード１７に関連付けられたＴＮＬアドレスを含める。また、ＭＭＥ９は、このメッセージに、上記のＷＴノード１７を識別する情報（例えば、ＷＴ  ＩＤ）、及び／又は、上記のＷＴノード１７によってサポートされている、ＢＳＳＩＤ、ＨＥＳＳＩＤ、及び／又はＳＳＩＤのそれぞれを識別する情報を含めてもよい。ＭＭＥ９が、検出されたアクセスポイント１５／ＷＴノード１７がＬＷＡをサポートしていないこと、及び／又は、この特定のＷＬＡＮ１２がＭＮＯネットワーク２のユーザがアクセスできないものであることを判断した場合、ＭＥ９は、この結果（effect）（例えば、ＬＷＡがサポートされていない、ＷＬＡＮがアクセス制限されている、ＴＮＬアドレスが利用できない、及び／又は同様のもの）に対する適切な指示（indication）を基地局５へ送信するように構成されてもよい。
【００６５】
ステップＳ３及び／又はステップＳ６で送信されるメッセージが、適切にフォーマットされた「Ｘ２  ＴＮＬ設定情報（X2 TNL Configuration Info）」メッセージを含んでもよいこと、及び、各アクセスポイント１５に関連付けられたそれぞれのＳＳＩＤ／ＨＥＳＳＩＤ／ＢＳＳＩＤ及びＷＴノード１７のＴＮＬアドレスが上記の「Ｘ２  ＴＮＬ設定情報（X2 TNL Configuration Info）」メッセージの適切な複数のＩＥに含められてもよいこと、が理解されるであろう。例えば、ＷＴノード１７のＴＮＬアドレスは、「ＷＴトランスポート層アドレス（WT Transport Layer Address）」ＩＥに含まれてもよく、また、特定のアクセスポイント１５に関連づけられたＳＳＩＤ／ＨＥＳＳＩＤ／ＢＳＳＩＤは、テーブル２に示されるように、「サポートされたＢＳＳＩＤ、ＨＥＳＳＩＤ、ＳＳＩＤのリスト（Supported BSSID, HESSID-, SSID-List）」に含まれてもよい。主に、モバイルデバイス３が１つ以上のＷＴノード１７に属する１つ以上のＢＳＳＩＤを識別している可能性があるので、各アクセスポイント１５に関連付けられたＳＳＩＤ／ＨＥＳＳＩＤ／ＢＳＳＩＤはリストとして送信されるのが好ましいことが理解されるであろう。
【００６６】
ステップＳ６で受信したＴＮＬアドレスを用いて、基地局５は、（Ｘｗモジュール６８を用いて）適切にフォーマットされたＸｗシグナリングメッセージ（例えば、Ｘｗセットアップ要求（Xw setup request））を生成して、ステップＳ７において、上記のＷＴノード１７と接続されたＸｗコネクションのセットアップを開始するために、上記のＷＴノード１７へ送信する。ステップＳ８において、ＷＴノード１７は、適切な応答（例えば、Ｘｗセットアップ応答（Xw setup response）及び／又は同様のもの）を生成して送信する。この応答において、Ｘｗコネクションが基地局５との間でセットアップされたこと（又は、Ｘｗコネクションをセットアップすることができない場合、ＷＴノード１７が、適切な失敗通知（failure notification）を基地局５へ返すこと）を確認する。
【００６７】
基地局５とＷＴノード１７との間でＸｗコネクションが成功裏にセットアップされると、ＡＮＲ設定手順は完了し、基地局５は、互換性のあるモバイルデバイスのための（ｅ）ＬＷＡのために、ＷＴノード１７に接続されたアクセスポイント１５を用いてもよい。ここで、例えば、（ステップＳ２で報告された）ＳＳＩＤ／ＨＥＳＳＩＤ／ＢＳＳＩＤによって識別される、１つ又は複数のアクセスポイント１５は、モバイルデバイス３のＷＬＡＮ移動性セット（WLAN mobility set）に含まれてもよい。
【００６８】
有益なことに、この例では、すべての基地局がＡＮＲオペレーションのために特別な情報／ＤＮＳサーバに接続することを可能にする、必要はない。従って、基地局が（単純化した基地局設計をもたらす可能性がある）ＦＱＤＮ機能、ＡＮＱＰ機能、及び／又はＧＡＳ機能で構成される必要はない。
【００６９】
【表１】
2019519965.tif 000003
【００７０】
【表２】
2019519965.tif 000004
【００７１】
要約すると、上記の例は、以下の利点の少なくとも一部を提供する。
・ネットワーク（ＭＭＥ）制御を保証するので、基地局は、任意のＷＴノードに任意に接続することができない。このオペレーションは、複数のＭＮＯによって好まれる。
・スケーラブル：すべての基地局を外部ＤＮＳサーバに接続する必要はなく、ＡＮＲオペレーションは、基地局側でシンプルに保たれる。
様々なＭＮＯによって配備された数百万の基地局が存在すると見積もられ、各基地局は、定期的に設定（configured）及びアップグレードされる必要がある。従って、スケーラビリティは、ＭＮＯにとって重要である。
各基地局ＦＤＱＮを機能させる必要はない。基地局（ｅＮＢ）もモバイルデバイス（ＵＥ）も、ＧＡＳ機能及び／又はＡＮＱＰ機能をサポートする必要はない。
この例では、ＭＭＥだけが、（他の目的のためにＭＭＥによって既にサポートされているかもしれない）ＦＱＤＮ／ＡＮＱＰ／ＧＡＳをサポートする必要がある。ＭＭＥと情報サービス（Info service）との間の（単一の）安全なコネクションの提供は、各基地局と情報サービスとの間の（複数の）安全なコネクションの提供に比べて、安価である。
・セキュリティ：集中型情報サービス（centralized Info Service）のＴＮＬアドレスを、（潜在的に悪意のある又は誤って設定された、複数の（Ｈ）ｅＮＢ／複数のＷＴノードを含む）すべてのネットワークノードに公開する必要はないので、これにより、ユーザプレーンのトラフィックは損なわれない。また、ネットワークアドレストランスレータ（ＮＡＴ）を使用することで問題はない。
【００７２】
＜オペレーション−第２の例＞
図８は、基地局５（eNB）とＷＴノード１７との間のＸｗコネクションをセットアップするためのＡＮＲ手順を実行するときに、システム１の複数の要素によって実行される、別の例示的なプロセスを示すタイミング図（メッセージシーケンスチャート）である。この例では、基地局５は、モバイルデバイス３からＷＴノード１７のＴＮＬアドレスを取得するように、構成されている。
【００７３】
ＬＷＡをサポートする各ＷＬＡＮ  ＡＰ１５は、（例えば、そのアクセスポイントに関連づけられたＳＳＩＤ／ＨＥＳＳＩＤ／ＢＳＳＩＤに加えて）以下の情報の１つ又は複数をブロードキャストすることが理解されよう。
・ＷＬＡＮ１２／アクセスポイント１５に関連づけられた、公衆陸上移動体ネットワーク（ＰＬＭＮ）を識別する情報（例えば、ＰＬＭＮ−ＩＤ）。
・ＷＬＡＮ１２／アクセスポイント１５がＬＷＡ機能をサポートしていることを識別する情報（例えば、適切な「ＬＷＡサポートインジケータ（LWA-Support Indicator）」ＩＥ／フラグ）。
・アクセスポイント１５に関連づけられたＷＴノード１７を識別する情報（例えば、ＷＴ  ＩＤ）。
・アクセスポイント１５に関連づけられたＷＴノード１７のＴＮＬアドレス。
【００７４】
例えば、複数のアクセスポイントは、上記の情報をブロードキャストするために、（例えば、3GPP TS 24.302 V13.5.0の附属書Hに定義されるような）適切にフォーマットされた透過的コンテナ（transparent container）を用いてもよい。
【００７５】
手順は、図７を参照して上述したステップＳ１に対応するステップＳ１１で始まる。ステップＳ１１において、サービング基地局５は、モバイルデバイス３の近傍のＷＬＡＮ１２を測定するように、モバイルデバイス３を設定する。適切な測定の後、モバイルデバイス３は、ステップＳ１２において、ＷＬＡＮメジャメントレポートを生成して基地局５に送信する。この例では、ＷＬＡＮメジャメントレポートは、検出されたアクセスポイント１５に関連づけられた、ＷＬＡＮ  ＡＰ  ＩＤ（例えば、ＳＳＩＤ／ＨＥＳＳＩＤ／ＢＳＳＩＤ）を含む。
【００７６】
ＷＬＡＮ  ＡＰ  ＩＤが近隣として基地局5によって認識されない場合（例えば、そのＷＬＡＮ管理モジュール６７／ＡＮＲモジュール６９に記憶されていない場合）、基地局５は、ステップＳ１３において、適切にフォーマットされたシグナリングメッセージを、（その測定制御モジュール６５を用いて）生成して、モバイルデバイス３へ送信する。そのシグナリングメッセージは、モバイルデバイス３に対して、アクセスポイント１５によってブロードキャストされるＬＷＡ情報（例えば、ＷＴノード１７の、ＬＷＡサポートインジケータ、ＷＴ  ＩＤ、及び／又は、ＴＮＬアドレス）を読み取るように、要求している。アクセスポイント１５が、その情報をブロードキャストするときに、ＬＷＡ固有の暗号化を用いてもよく、これにより、モバイルデバイス３が、適切な場合には、その情報を復号（解読）する必要があり得ることが、理解されよう。
【００７７】
（そのＡＮＲモジュール４９を使用する）モバイルデバイス３は、要求された複数のパラメータ（ＷＴノード１７のＬＷＡサポートインジケータ、ＷＴ  ＩＤ、及び／又はＴＮＬアドレスなどの、アクセスポイント１５によってブロードキャストされた情報）を読み取り、次いで、ステップＳ１４において、モバイルデバイス３は、適切なシグナリングメッセージを、（そのＬＴＥモジュール４５を使用して）生成し送信して、要求されたパラメータを基地局５に報告する。モバイルデバイス３はアクセスポイント１５によってブロードキャストされたＬＷＡ情報を復号する必要がないことが理解されるであろう。その代わりに、モバイルデバイス３は、キャプチャされた情報を基地局５に（基地局５による復号及び処理のために）送信するように、構成されてもよい。
【００７８】
（それぞれステップＳ７及びＳ８に対応する）ステップＳ１７及びＳ１８において、基地局５は、モバイルデバイス３によって提供されるパラメータ（ＴＮＬアドレスなど）を使用して、検出されたＷＴノード１７に向けて、Ｘｗコネクションを確立する。
【００７９】
有益なことに、この「ＵＥベース」の例は、ＷＴノード１７のＴＮＬアドレスを調べるために、情報／ＤＮＳ（Info/DNS）サービスノード又はＡＮＱＰサーバに接続する必要がない。
【００８０】
＜オペレーション−モビリティ＞
冒頭で説明したように、影響を受けるＵＥがＷＬＡＮによってサービスされる、ｅＮＢ間移動性（inter eNB mobility）（つまり、異なる複数のＬＴＥ基地局間の移動性）を可能にする方法、及び、そのＵＥの移動性の結果としてサービングＷＴに変更があるのか無いのかについて、現在明らかではない。本発明者は、ハンドオーバをトリガする前に、ソース基地局はハンドオーバがＷＴ変更を必要とするかどうかを判断することができない、ことを認識した。これは、ハンドオーバタイプ（つまり、ＷＴ変更の有無）に基づいて、ソース基地局とターゲット基地局との間で、異なる複数のタイプの情報が交換される必要がある、からである。
【００８１】
上述したように、複数の基地局５の間のハンドオーバの場合、ハンドオーバは、ハンドオーバ中のモバイルデバイス３のために設定されたＬＷＡサービスに関係するＷＴノード１７を変更すること、を含んでいてもよい。
【００８２】
有益なことに、この例では、ソース基地局５は、ハンドオーバをトリガする前に、ハンドオーバがＷＴノード１７の変更を必要とするかどうかを判断することができる。
【００８３】
これは、このシステムでは、複数の近隣基地局５が、それらが使用する各ＷＴノード１７／ＷＬＡＮ１２について互いに通知するように、構成されているため、可能である。例えば、複数の基地局５は、使用されている任意のＷＴノード１７を識別する情報及び／又は任意の関連するＷＬＡＮ  ＩＤ（例えば、「ＷＴリスト」ＩＥ及び／又は類似のもの）を含む、適切なシグナリングメッセージ（テーブル３に示すＸ２セットアップメッセージ及び／又は設定更新（Configuration Update）メッセージ）を交換するように、構成されていてもよい。代替的に、複数のＷＴノード１７は、新しい基地局とのＸｗコネクションを確立するときに、それらの近隣の複数の基地局５に通知するように、構成されてもよい。
【００８４】
より詳細には、図９のステップＳ２１に一般的に示されるように、ＷＴノード１７及び基地局５Ａは、（例えば、図７又は図８を参照して上述したように）Ｘｗコネクションを確立してもよい。
【００８５】
Ｘｗコネクションの確立後、２つのオプションがある。ステップＳ２２ａに示す「オプションＡ」において、基地局５Ａは、適切なシグナリングメッセージ（例えば、「Ｘ２セットアップ」メッセージ又は「Ｘ２設定アップデート（X2 Configuration Update）」メッセージ）を生成して、その近隣基地局５Ｂ5Bに送信する。ステップＳ２２ｂに示されている「オプションＢ」において、ＷＴノード１７は、適切なシグナリングメッセージ（例えば、「Ｘｗセットアップ」要求／応答メッセージ（‘Xw Setup’ request/response message）、「Ｘｗ設定アップデート（Xw Configuration Update）」メッセージ、又は「ＷＴ設定アップデート（WT Configuration Update）」メッセージ）を生成して、近隣の基地局５Ｂに送信する（ＷＴノード１７と基地局５Ｂとが接続されているものとする）。シグナリングメッセージは、適切な情報要素（information element）に、ＷＴノード１７を識別する情報、及び／又は、ＷＴノード１７が部分的に形成するＷＬＡＮ１２に関連する１つ又は複数の識別子（例えば、１つ以上のＳＳＩＤ／ＨＥＳＳＩＤ／ＢＳＳＩＤ）を含む。
【００８６】
ステップＳ２３に一般的に示すように、隣接基地局５ＢがＷＴノード１７にまだ接続されていない場合、それらは、（例えば、図７のステップＳ３〜Ｓ６を参照して上述したように、ＷＴノード１７のＴＮＬアドレスをＭＭＥ９から取得した後に）、基地局５Ａから提供された情報に基づいて、Ｘｗコネクションを確立することができる。
【００８７】
したがって、基地局５Ｂがサービングしているとき、（ＬＷＡがアクティブである間）モバイルデバイス３は、その移動性決定（mobility decision）において、取得された情報であってその近隣基地局のＷＴ接続性（WT connectivity）についての情報を、有益に使用することができる（ステップＳ２４）。
【００８８】
したがって、（ソースｅＮＢとして動作する場合）基地局５Ｂは、（例えば、基地局５Ａへの）ハンドオーバがＷＴノード１７の変更を伴うかどうかを事前に知っており、このため、ソース基地局５Ｂは、ハンドオーバの際に無線リンク障害（ＲＬＦ：radio link failure）のリスクを最小限に抑えるため、及び、モバイルデバイス３に十分なＱｏＥ（Quality of Experience）を保証するために、どのターゲット基地局が選択されるべきかを知っている。例えば、ソース基地局５Ｂが純粋に無線状態に基づいてハンドオーバ決定を行うように構成されている場合、ソース基地局５Ｂは、同じＷＴ接続性を有さないターゲット基地局を選択する可能性がある。この場合、（ターゲットの複数の無線状態が同等であると仮定すると）、同じＷＴ接続性を有するターゲット基地局を選択する方が良いかもしれない。
【００８９】
また、基地局５Ｂは、ハンドオーバタイプ（つまり、ＷＴ変更の有無）に応じて、ターゲット基地局（例えば、基地局５Ａ）と交換する必要がある情報のタイプを知っている。
【００９０】
【表３】
2019519965.tif 000005
【００９１】
＜変更及び代替＞
以上、詳細な実施形態を説明した。当業者には理解されるように、多くの修正及び代替が上記実施例になされ得るが、その中に具現化される複数の発明から恩恵を受ける。ここでは、図示のみによって、多くのこれらの代替及び変更が説明される。
【００９２】
上記の例示的な実施形態では、基地局は、モバイルデバイスと通信するために、３ＧＰＰ無線通信（無線アクセス）技術を使用する。しかしながら、上記の複数の実施形態によるモバイルデバイスの送信を管理するために、他の任意の無線通信技術（すなわち、ＷＬＡＮ、Ｗｉ-Ｆｉ、ＷｉＭＡＸ、ブルートゥースなど）を使用することができる。また、上記の例示的な実施形態は、「非モバイル」又は一般に固定のユーザ機器にも適用可能である。
【００９３】
上記の例示的な実施形態では、例示的なＷＬＡＮノードとして、アクセスポイント（ＡＰ）が使用される。しかしながら、アクセスコントローラ（ＡＣ）もまた、ＷＬＡＮにおいて使用されてもよく、この場合、モバイルデバイスは、アクセスコントローラを検出してサービス基地局に報告するように構成されてもよい、ことも理解されよう。
【００９４】
上記の例示的な実施形態では、ＷＬＡＮメジャメントを実行するために、ＬＷＡ対応モバイルデバイスが説明されている。3GPP TS 36.300は、ＬＷＡをサポートする各ＵＥ（モバイルデバイス）が、ＷＬＡＮメジャメントを実行するために、Ｅ−ＵＴＲＡＮ（基地局）によって設定されてもよい、ことを記述している。ＷＬＡＮメジャメントは、ＷＬＡＮ識別子（BSSID、HESSID、及びSSID）、ＷＬＡＮチャネル番号（WLAN channel number）、及びＷＬＡＮ帯域（WLAN band）を用いて、設定されてもよい。ＷＬＡＮメジャメントの報告は、受信信号強度インジケータ（ＲＳＳＩ：received signal strength indicator）を用いてトリガされる。ＷＬＡＮメジャメントレポートは、ＲＳＳＩ、チャネル利用率（channel utilization）、局数（station count）、許可容量（admission capacity）、バックホール率（backhaul rate）、及びＷＬＡＮ識別子を含んでいてもよい。
【００９５】
したがって、基地局からのメジャメント設定（measurement configuration）（例えば、ステップＳ１及びＳ１１）は、複数のＷＬＡＮ  ＩＤ、ＷＬＡＮ帯域、及び／又は、測定される周波数／チャネルを含むことができる、ことが理解されよう。また、モバイルデバイスからのＷＬＡＮメジャメントレポート（例えば、ステップＳ２及びＳ１２）は、ＷＬＡＮ  ＩＤ、ＲＳＳＩ、ＳＴＡカウント、バックホールレート、許可容量、チャネル使用率、及び／又は、他のメトリックを含むことができる、ことも理解されよう。
【００９６】
３ＧＰＰは、以下のＷＬＡＮメジャメントイベントを定義している。
・イベントＷ１：ＷＬＡＮが閾値よりも良くなる。
・イベントＷ２：ＷＬＡＮ移動性セット内のすべてのＷＬＡＮが閾値１より悪くなり、ＷＬＡＮ移動性セット外のＷＬＡＮが閾値２より良くなる。
・イベントＷ３：ＷＬＡＮ移動性セット内のすべてのＷＬＡＮが閾値より悪くなる。
【００９７】
図７の上記の説明では、基地局は、ｅＮＢ設定転送メッセージ及び／又は他の適切なＳ１メッセージを送信するように記述されている。基地局は、このメッセージに（例えば、このメッセージの適切な情報要素内に）、検出されたアクセスポイントに関連づけられたＳＳＩＤ／ＨＥＳＳＩＤ／ＢＳＳＩＤを含める。しかしながら、他のメッセージ、例えばＷＴアドレスディスカバリメッセージ及び/又は同様のものが用いられてもよい、ことも理解されよう。
【００９８】
図９の上記の説明では、基地局は、ＷＴノード接続性に関する情報を交換するように記載されている。交換された情報は、特定の基地局が（ＬＷＡの場合）ＷＴノードとの直接Ｘｗコネクションを有するかどうか及び／又は特定の基地局が別の基地局（例えば、デュアルコネクティビティシナリオにおいてセカンダリ基地局として設定可能である基地局）と直接Ｘ２コネクションを有するかどうかを識別する情報を含んでいてもよい。テーブル４は、この目的のために使用され得るＸ２セットアップ／設定更新メッセージ（X2 Setup / Configuration update message）の例示的な情報要素を示す。基地局間で交換される情報は、（例えば、ＬＷＡ及びデュアルコネクティビティシナリオの両方における）適切なターゲット基地局の選択に使用されてもよいことが理解されよう。
【００９９】
【表４】
2019519965.tif 000006
【０１００】
上記の説明では、モバイルデバイス、基地局、及びＭＭＥは、理解を容易にするために、多数の別個の複数の機能コンポーネント又は複数の機能モジュールを有するものとして記載されている。これらのモジュールは、例えば既存のシステムが本発明を実施するように改変された特定のアプリケーションのために、このように提供されてもよいが、他のアプリケーションでは、例えば当初から本発明の特徴を考慮して設計されたシステムにおいて、全体的なオペレーティングシステム及びコードに組み込まれていてもよく、このため、これらのモジュールはディスクリートエンティティ（discrete entities）として認識されない可能性がある。
【０１０１】
上記の例示的な実施形態では、いくつかのソフトウェアモジュールが説明された。当業者には理解されるように、ソフトウェアモジュールは、コンパイルされた形態又はコンパイルされていない形態で提供されてもよいし、コンピュータネットワークを介した信号又は記録媒体上の信号として、基地局、移動管理エンティティ又はモバイルデバイスに供給されてもよい。さらに、このソフトウェアの一部又は全部によって実行される機能は、１つ又は複数の専用ハードウェア回路を使用して実行されてもよい。しかしながら、それらの機能性を更新するために、基地局、移動管理エンティティ又はモバイルデバイスの更新を容易にするので、ソフトウェアモジュールの使用が好ましい。
【０１０２】
基地局のコントローラは、基地局によって運営されるセルを介した又はＷＬＡＮのアクセスポイントを介した同時通信のためのリソースの集約を、確立されたコネクションを使用して制御するように、構成されてもよい。
【０１０３】
基地局のコントローラは、ＷＬＡＮのノードに関連付けられたアドレスの転送をトリガするためのシグナリングメッセージ（例えば、「ｅＮＢ設定転送（eNB Configuration Transfer）」メッセージ又は「ＷＴアドレスディスカバリ」メッセージ）を移動管理エンティティへ送信することによって、ＷＬＡＮのノードに関連付けられたアドレスを、移動管理エンティティから取得するように構成されてもよい。
【０１０４】
基地局のコントローラは、通信デバイスがＷＬＡＮのノードのアドレスを読み取ること（ＷＬＡＮ情報ブロードキャストを世もとること）を要求するための、メッセージを通信デバイスへ送信することによって、ＷＬＡＮのノードに関連付けられたアドレスを、通信デバイスから取得するように構成されてもよい。
【０１０５】
シグナリングメッセージは、ＷＬＡＮを識別するための識別子、例えば、サービスセット識別子（ＳＳＩＤ）、ホモジニアス拡張サービスセット識別子（ＨＥＳＳＩＤ）、及び／又は、基本サービスセット識別子（ＢＳＳＩＤ）を識別するための識別子を含んでいてもよい。
【０１０６】
上記のアドレスは、トランスポートネットワーク層（ＴＮＬ）アドレスを含んでいてもよい。
【０１０７】
基地局のコントローラは、さらに、ＷＬＡＮのノードを識別するための情報（例えば、「ＷＴ  ＩＤ」）、ＷＬＡＮのアクセスポイントのリスト、及び、ＷＬＡＮを識別するための識別子（例えば、サービスセット識別子（ＳＳＩＤ）、ホモジニアス拡張サービスセット識別子（ＨＥＳＳＩＤ）、及び／又は、基本サービスセット識別子（ＢＳＳＩＤ））の少なくとも１つを取得するように構成されていてもよい。
【０１０８】
基地局による移動管理エンティティへの上記要求は、ＷＬＡＮのノードに関連付けられたアドレスの転送をトリガするためのシグナリングメッセージ（例えば、「ｅＮＢ設定転送」メッセージ又は「ＷＴアドレスディスカバリ」メッセージ）を含んでいてもよい。
【０１０９】
移動管理エンティティのコントローラは、（例えば、適切な完全修飾ドメインネーム（ＦＱＤＮ）手順及び／又はアクセスネットワーククエリプロトコル（ＡＮＱＰ）手順を用いて）、情報サービス又はドメインネームシステムノードから、ＷＬＡＮのノードに関連づけられたアドレスを取得するように構成されてもよい。
【０１１０】
通信装置のコントローラは、基地局によって運営されるセルを介した及びＷＬＡＮのアクセスポイントを介した、同時通信のためのリソースの集約のために、さらに構成されてもよい。
【０１１１】
通信デバイスのトランシーバは、ＷＬＡＮを識別するための識別子をＷＬＡＮから受信し、受信した識別子を測定レポートで基地局に提供するように、構成されてもよい。
【０１１２】
通信デバイスのトランシーバは、メジャメントレポートを送信した後に基地局から、上記識別子によって識別されるＷＬＡＮのノードのアドレスを通信デバイスが読み取ることを要求する、メッセージを受信するように、構成されてもよい。上記のコントローラは、上記の要求メッセージに応じて、上記のＷＬＡＮのノードのアドレスの取得を実行するように、構成される。
【０１１３】
上記メッセージは、さらに、上記通信デバイスが、ＷＬＡＮに関連づけられた公衆陸上移動体ネットワーク（ＰＬＭＮ）を識別する情報（例えば、ＰＬＭＮ−ＩＤ）、アクセスポイントがＬＴＥ−ＷＬＡＮ集約（ＬＷＡ）機能をサポートしていることを識別する情報（例えば、「ＬＷＡ−サポートインジケータ」）、及び、ＷＬＡＮのノードを識別する情報（例えば、「ＷＴ  ＩＤ）のうちの少なくとも１つを読み取る、ことを要求するように設定されていてもよい。
【０１１４】
上記の通信デバイスは、ＷＬＡＮと関連するＰＬＭＮを識別する情報、アクセスポイントがＬＷＡ機能をサポートしていることを識別する情報、及び、ＷＬＡＮのノードを識別する情報のうちの少なくとも１つを取得するように、構成されていてもよい。
【０１１５】
上記のアクセスポイントのトランシーバは、さらに、ＷＬＡＮに関連する公衆陸上移動体ネットワーク（ＰＬＭＮ）を識別する情報（例えば、ＰＬＭＮ−ＩＤ）、アクセスポイントがＬＴＥ−ＷＬＡＮ集約（ＬＷＡ）機能をサポートしていることを識別する情報（例えば、「ＬＷＡ−サポートインジケータ」）、及び、ＷＬＡＮのノードを識別する情報（例えば、「ＷＴ  ＩＤ」）のうちの少なくとも１つをブロードキャストするように、構成されていてもよい。
【０１１６】
様々な他の修正が当業者には明らかであり、ここではさらに詳細には説明しない。
【０１１７】
以下は、上述した自動近隣関係（automatic neighbour relation）の実施形態が現在提案されている３ＧＰＰ標準で実施され得る、方法の詳細な説明である。様々な特徴が本質的に又は必要であると説明されているが、これは、例えば規格によって課せられた他の要求のため、提案された３ＧＰＰ標準の場合のみであり得る。したがって、これらの記述は、決して本発明を限定するものとして解釈されるべきではない。
【０１１８】
〈１．はじめに〉
この名前が示すように、ＡＮＲの意図は、特に近隣装置間の関係を確立するためのオペレータの構成作業を最小限に抑えることである。ＬＴＥ対応のものと比較して比較的小さいカバレッジを有する、何十億ものＷｉ-Ｆｉアクセスポイントが与えられた場合、ＡＮＲは、必要とされる実質的な設定からオペレータを救済する重要な役割を果たす。そして、ＡＮＲは、エンドユーザへより良いサービスを提供するために、近隣関係テーブル（ＮＲＴ：neighbour relation table）の作成を通して、ｅＮＢが複数のＷｉ-Ｆｉ近隣ノードを識別することを助けるであろう。ＡＮＲは、ＷＴ  ＴＮＬアドレスルックアップ、及び、それに続くＸｗインタフェースの確立により、構成される。セキュリティ及びスケーラビリティは、同じＩＳＭバンドで大まかに動作するアクセスポイント群の膨大なサイズと非オペレータ展開性質（non-operator deployed nature）を考慮してソリューションを開発する際の、最大の意思決定要因である。
【０１１９】
このペーパーでは、多くの設計要素を考慮して、ＡＮＲを信頼性及び堅牢性のあるものにする方法について説明する。
【０１２０】
〈２．ディスカッション〉
Ｒｅｌ−１３のＬＷＡの研究では、ＲＲＣメジャメントレポートとは対照的に、主にＯＡＭ（操作、管理、保守）を使用して、隣接関係が形成されている、ことが示唆されている。ＬＴＥの場合とは異なり、ＵＥ及びｅＮＢは、オペレータに属さず、ＬＷＡをサポートしない、ＵＥ及びｅＮＢを明らかにする必要がある。この情報が存在しない場合、ＡＮＲは、ｅＮＢだけでなくＵＥに対して、無駄な動作をもたらすことになる。このため、ＬＷＡをサポートするＡＰによってブロードキャストされる必要があるものを決定することが重要である。
このため、以下は、少なくともＡＰによってブロードキャストされる必要がある。
ｉ）ＰＬＭＮ−ＩＤ。
ｉｉ）ＬＷＡサポートインジケータ（LWA Support Indicator）。
【０１２１】
このため、ＬＷＡ  ＡＰが、ビーコンにどのような情報を含めるかという点で、特別な動作を行う必要があるかどうか、を判断することが重要である。
【０１２２】
〈所見（Observation）１：〉新しい情報をＬＷＡ  ＡＰビーコンに含めることは、ＡＮＲ動作の一部としてＵＡ及びｅＮＢによって必要とされる労力を最小限にすることができる。
【０１２３】
〈提案（Proposal）１：〉ＲＡＮ２／ＲＡＮ３は、IEEE 802.11標準化団体と協力して、ＬＷＡ  ＡＰビーコンを増強できるかどうかを探求すること、を求められている。
【０１２４】
余分な情報がＡＰビーコンに含まれると、ＵＥは、ＡＮＲの目的のために、関連するＡＰ識別情報（例えば、ＢＳＳＩＤ、ＨＥＳＳＩＤ、ＳＳＩＤ）のみを、ｅＮＢに報告することができる。ＬＴＥと異なり、ＬＷＡ内のｅＮＢは、検出されたＡＰ  ＩＤとＷＴ  ＩＤとの間のマッピング又は関係を最初に特定し、関連するＷＴとＸｗを確立する前に、ＷＴの対応するＴＮＬアドレスを取ってくる、必要がある。これに対処するために、このプロセスが自動化されていない限りオペレータに膨大なＯＡＭの労力が必要とされることを認識した後に、異なるネットワークベースソリューション及びＵＥベースソリューションが提示された。
【０１２５】
R3-160323では、ネットワークベースのソリューションが提示されており、このソリューションは、各ｅＮＢが、ＡＰ−ＷＴ関係を把握するために、情報サービスに接続し、続いて、関連するＷＴのＴＮＬアドレスを取得する、必要がある。この目的のために、各ｅＮＢは、ＦＱＤＮ機能をサポートして、ＤＮＳのようなクエリをトリガすることができる必要がある。さらに、そのような情報サービスに各ｅＮＢ（中国のような国々では１００万以上のｅＮＢ）を接続することは、拡張可能ではない。さらに、認証後に各ｅＮＢと情報サービスとの間の安全なコネクションを保証することは、費用がかかる。
【０１２６】
〈所見２：〉各ｅＮＢ（大きな国では１００万を超えるｅＮＢ）を情報サービスに接続すると、オペレータに対して、巨大なＯＰＥＸ／ＣＡＰＥＸを生じさせる可能性がある。
【０１２７】
ＬＷＡをサポートしたいオペレータの負担を考慮して、このホワイトペーパーでは、スケーラビリティ及びセキュリティの問題に対処するために、ＵＥベースソリューション及びネットワークベースソリューションを提示している。
【０１２８】
〈２．１  ネットワークベースソリューション：〉
無線には依存しないが、ＭＭＥは、ＬＴＥ  ＡＮＲプロセスにおいて、ターゲットｅＮＢのＴＮＬアドレスを普及させることに関与する。これは、検出された近隣装置に属するＴＮＬアドレスを取得する目的で、ｅＮＢがＤＮＳサーバ機能に接続できるようにすることを、最初のＬＴＥ設計が、実際には支持していない、ことを意味する。これはコアネットワークシグナリングを増加させるが、このメカニズムは、スケーラビリティ及びセキュリティの理由のために他のＥ−ＵＴＲＡＮノードに関する情報を取得するために、複数のＥ−ＵＴＲＡＮノードがコアノードに接触する、ことを保証する。
ＷｉＦｉホットスポット群が常にモバイルネットワークオペレータ（ＭＮＯ）によって配備されている訳ではなく、異なるホットスポットオペレータ（ＨＳＯ）に属している可能性があるので、ＬＷＡの場合には、この要求が最も重要である。
【０１２９】
〈所見３：〉ＷＴアドレスディスカバリにおいてＭＭＥを関与させることは、シグナリングベースソリューションを、スケーラブル且つセキュアにさせる。
【０１３０】
したがって、ＭＭＥは、各ＴＮＬアドレスディスカバリに関与し、その結果、各ｅＮＢと情報サービスとの間のコネクションを維持する必要はない。
これは、ＭＮＯを救済することができる。それは、ＭＭＥをアップグレードすることが、自然な進化であり、且つ、各ｅＮＢが情報サービスに接続して新しい機能で各ｅＮＢをアップグレードすることに比べて、比較的簡単でスケーラブルであると考えられるためである。図７に示すように、ｅＮＢ／ＭＭＥ設定転送メッセージが拡張されてもよいし、又は、ｅＮＢがＢＳＳＩＤ、ＨＥＳＳＩＤ又はＳＳＩＤの複数を問合せでき、この問合せに応じて、ＭＭＥが複数のＷＴに属する複数のＴＮＬアドレスを提供できるようにする、目的のための、全く新しいメッセージが用いられてもよい。さらに、各ＷＴがＭＮＯに制御されるエンティティであるため、ＭＭＥを使用した認証は容易に可能である。したがって、ＭＭＥの関与は、ｅＮＢがネットワークに知られていない任意のＷＴに接続しない、ことを保証する。
【０１３１】
〈提案２：〉ＲＡＮ３は、ＷＴ  ＴＮＬアドレスディスカバリにおけるＭＭＥの関与が、セキュリティ及びスケーラビリティを確保するために、最も重要であるかどうか、を探究すること求められている。
【０１３２】
〈２．２  ＵＥベースソリューション：〉
ＬＴＥネットワークへのＬＷＡの影響を最小限に抑えるために、ｅＮＢがＷＴ  ＴＮＬアドレスを取得できるようにする、ＵＥベースソリューションが役立つ。各ＵＥがＷＴアドレスを取得する目的でＡＮＱＰサーバに問い合わせることを要求する、異なるＵＥベースソリューションが、既に提示されている。それは、ＵＥに関連していないＡＰにＵＥが問い合わせるＧＡＳのような、大きな労力及び能力を必要とする。
【０１３３】
〈所見４：〉ＵＥによって関連づけられる前にＡＰPに問い合わせることは、実際には好ましいことではない。
【０１３４】
現在のＡＮＲの自然な進化として、各ＵＥは、ｅＮＢによってＡＰの詳細を徐々に収集するように要求され得る。その一環として、ＬＷＡ  ＡＰは、ＷＴ関係（WT relationship）及びＷＴ  ＴＮＬアドレスを、適切な暗号化を施した安全な方法でブロードキャストするように構成されてもよい。ＷＴ  ＴＮＬアドレスをＵＥが供給されると、ｅＮＢは、ＬＴＥネットワークを任意の情報サービスに接続する必要なく、容易にＸｗを確立することできる。
【０１３５】
〈長所：〉
・このため、主要なネットワークへの影響はなく、ＯＰＥＸ／ＣＡＰＥＸ（資本支出／運用支出）は少ない。
・より少ないＯＡＭ設定。
【０１３６】
〈短所：〉
・新しいＵＥの動作。
・ＷＴの詳細をブロードキャストするための安全なメカニズムが必要。
【０１３７】
〈所見５：〉ＵＥベースソリューションは、セキュアにできる場合にのみシンプルである。
【０１３８】
〈提案３：〉ＲＡＮ３は、ＵＥベース及びネットワークベースの長所及び短所を、コスト、スケーラビリティ、及びセキュリティの観点から分析し、適切なソリューションを選択することを要求されている。
【０１３９】
〈３．結論及び提案〉
このペーパーは、完全にスケーラブルで安全な、ＷＴ  ＴＮＬアドレスディスカバリの必要性を分析し、この点について２つのソリューションを分析する。基本的な分析では、さらに、以下の所見及び提案を行う。
【０１４０】
〈所見１：〉ＬＷＡ  ＡＰビーコンに新しい情報を含めることは、ＡＮＲ動作の一環としてＵＥ及びｅＮＢによって必要とされる労力を最小限に抑えることができる。
【０１４１】
〈提案１：〉ＲＡＮ２／ＲＡＮ３は、IEEE 802.11標準化団体と協力して、ＬＷＡ  ＡＰビーコンを増強できるかどうかを探求すること求められている。
【０１４２】
〈所見２：〉各ｅＮＢ（大きな国では１００万を超えるｅＮＢ）を情報サービスに接続すると、オペレータに対して、巨大なＯＰＥＸ／ＣＡＰＥＸを生じさせる可能性がある。
【０１４３】
〈所見３：〉ＷＴアドレスディスカバリにおいてＭＭＥを関与させることは、シグナリングベースソリューションを、スケーラブル且つセキュアにさせる。
【０１４４】
〈提案２：〉ＲＡＮ３は、ＷＴ  ＴＮＬアドレスディスカバリにおけるＭＭＥの関与が、セキュリティ及びスケーラビリティを確保するために、最も重要であるかどうか、を探究すること求められている。
【０１４５】
〈所見４：〉ＵＥによって関連づけられる前にＡＰPに問い合わせることは、実際には好ましいことではない。
【０１４６】
〈所見５：〉ＵＥベースソリューションは、セキュアにできる場合にのみシンプルである。
【０１４７】
〈提案３：〉ＲＡＮ３は、ＵＥベース及びネットワークベースの長所及び短所を、コスト、スケーラビリティ、及びセキュリティの観点から分析し、適切なソリューションを選択することを要求されている。
【０１４８】
以下は、上述のＵＥモビリティに関連する実施形態が現在提案されている３ＧＰＰ標準で実施され得る、方法の詳細な説明である。
様々な特徴が本質的に又は必要であると説明されているが、これは、例えば規格によって課せられた他の要求のため、提案された３ＧＰＰ標準の場合のみであり得る。したがって、これらの記述は、決して本発明を限定するものとして解釈されるべきではない。
【０１４９】
〈１．はじめに〉
ＬＷＡを有している間のシームレスなモビリティは、ＬＷＡ上のこの新しいＷＩの範囲内にある。RAN3＃91bisでは、いくつかのモビリティケースが分析され、続いて、以下のＷＡが作成された。
ＷＡ：ＷＴの変更なしのＨＯ。
【０１５０】
ＷＴの変更を含むシナリオを含む、他の複数のシナリオは、コンセンサスに基づく今後の議論の範囲内に、依然としてある。これは、他のモビリティシナリオがまだ除外されていないことを意味する。しかしながら、これらのモビリティケースのいずれも、特定のＵＥ  ＨＯがＷＴ変更を伴うかどうかをソースｅＮＢが最初に把握することを必要とする。現時点で、これまでの議論はこのことを考慮していない。
【０１５１】
このペーパーの目的は、正確なＨＯを実行するためにソースｅＮＢ側で、プライオリ情報（priory information）が整えられる必要があるのかどうかを調べることである。
【０１５２】
〈２．ディスカッション〉
ＬＷＡを使用してＷＬＡＮに負荷をかけると、ネットワーク運用者が希少で高価な無線リソースを効率的に管理できるようになると同時に、より良いユーザ体験を可能にする。主に信号品質メジャメントに基づいてトリガされるＨＯ時に、ソースｅＮＢが各ターゲット候補の残存容量及び負荷情報などの追加の情報を有している場合、リソース不足に起因したターゲット候補によるＨＯ拒否を回避することができる。換言すれば、追加のＳＯＮ（Self-Organizing Network）情報は、良好なＱｏＥ（Quality of Experience）をＵＥに提供しながら、失敗したＨＯ試行に起因するリソース浪費をソースｅＮＢが最小にすること、を助けるであろう。
【０１５３】
リソース制約の目標では、ＬＷＡを通るトラフィックをオフロードすることが、常に役立つ。従って、ＷＴ変更を伴うか否かに関してＨＯタイプを決定する前に、ソースｅＮＢは、潜在的なターゲット候補が、同じＷＴへの又は問題のＵＥにサービスする同じＡＰへのコネクティビティを有するかを知るのがより良い。
【０１５４】
〈所見１：〉ＨＯの時点でターゲット候補のそれぞれが同じＷＴへのコネクティビティを有するかどうかをソースｅＮＢに知らせることは、より良いリソース管理及びＵＥ体験（UE experience）のために有用である。
【０１５５】
これは、ｅＮＢが近隣情報（neighbour information）にＷＴコネクティビティを含める方がより良いことを意味する。スプリットベアラオプションが、ＨＯ後にターゲットがＰＤＣＰ（Packet Data Convergence Protocol）をリセットできるＬＷＡのケースにおいて、考えられているが、ＨＯ時にＬＷＡを完全に切断してＨＯ後にＷＴを追加するのではなく、同じＷＴへのコネクティビティを有するターゲットを選択することは、有用である。
これは、メジャメントの取得及びシグナリング（measurement taking and signalling）に関して、ターゲットだけでなくＵＥにも、追加の努力を払わせる。
【０１５６】
〈提案１：〉ＲＡＮ３は、近隣情報ＩＥ（Neighbor Information IE）にＷＴの詳細を含めること、の利点を探索することを要求される。
【０１５７】
〈３．結論及び提案〉
このペーパーは、より良いリソース使用及びＵＥ  ＱｏＥについてのＷＴコネクティビティの点で、ｅＮＢが近隣装置群を完全に把握する必要性を分析する。基本的な分析では、さらに次のような所見及び提案が行われる。
【０１５８】
〈所見１：〉ＨＯの時点でターゲット候補のそれぞれが同じＷＴへのコネクティビティを有するかどうかをソースｅＮＢに知らせることは、より良いリソース管理及びＵＥ体験（UE experience）のために有用である。
【０１５９】
〈提案１：〉ＲＡＮ３は、近隣情報ＩＥ（Neighbor Information IE）にＷＴの詳細を含めること、の利点を探索することを要求される。
【０１６０】
上記の実施形態の一部又は全部は、以下の付記のようにも記載されうるが、以下には限られない。
【０１６１】
（付記１）
通信ネットワークのための基地局であって、
通信デバイスと通信するトランシーバと、
少なくとも１つの無線ローカルエリアネットワーク（ＷＬＡＮ）に関連して、自動近隣関係オペレーションを実行するコントローラと、
を具備し、
前記コントローラは、前記ＷＬＡＮのノードに関連づけられたアドレスを、前記通信デバイス及び移動管理エンティティのうちの少なくとも１つから、取得し、前記取得されたアドレスを用いて、前記ＷＬＡＮの前記ノードとの間でコネクションを確立する、
基地局。
【０１６２】
（付記２）
前記コントローラは、前記基地局のセルを介した通信と前記ＷＬＡＮを介した通信との同時通信のための、複数のリソースのアグリゲーションを、前記確立されたコネクションを用いて、制御する、
付記１記載の基地局。
【０１６３】
（付記３）
前記コントローラは、前記移動管理エンティティから、ＷＬＡＮのノードに対応づけられた前記アドレスを、前記ＷＬＡＮの前記ノードに関連づけられたアドレスの転送をトリガするためのシグナリングメッセージ（例えば、ｅＮＢ設定転送メッセージ、又は、ＷＴアドレスディスカバリメッセージ）を前記移動管理エンティティへ送信することによって、取得する、
付記１又は２に記載の基地局。
【０１６４】
（付記４）
前記コントローラは、前記通信デバイスから、ＷＬＡＮのノードに関連づけられた前記アドレスを、前記通信デバイスに前記ＷＬＡＮの前記ノードのアドレスを読み込むこと（ＷＬＡＮ情報ブロードキャストを読み込むこと）を要求するためのメッセージを前記通信デバイスへ送信することによって、取得する、
付記１又は２に記載の基地局。
【０１６５】
（付記５）
前記シグナリングメッセージは、前記ＷＡＬＮを識別するための識別子（例えば、サービスセット識別子（ＳＳＩＤ）、ホモジニアス拡張サービスセット識別子（ＨＥＳＳＩＤ）、及び／又は、基本サービスセット識別子（ＢＳＳＩＤ））を含む、
付記３又は４に記載の基地局。
【０１６６】
（付記６）
前記アドレスは、トランスポートレイヤ（ＴＮＬ）アドレスを含む、
付記１から５のいずれか１項に記載の基地局。
【０１６７】
（付記７）
通信ネットワークのための基地局であって、
近隣基地局と通信するトランシーバと、
前記近隣基地局及び無線ローカルエリアネットワーク（ＷＬＡＮ）のアクセスポイントのうちの少なくとも１つから、前記近隣基地局が前記ＷＬＡＮのノードとの直接コネクションを有していることを示す情報を、取得するコントローラと、
を具備する基地局。
【０１６８】
（付記８）
前記コントローラは、前記ＷＬＡＮのノードを識別する情報（例えば、ＷＴ  ＩＤ）、前記ＷＬＡＮのアクセスポイント群のリスト、及び、前記ＷＬＡＮを識別するための識別子（例えば、サービスセット識別子（ＳＳＩＤ）、ホモジニアス拡張サービスセット識別子（ＨＥＳＳＩＤ）、及び／又は、基本サービスセット識別子（ＢＳＳＩＤ））のうちの少なくとも１つを取得する、
付記７記載の基地局。
【０１６９】
（付記９）
通信ネットワークのための基地局であって、
近隣基地局と通信するトランシーバと、
デュアルコネクティビティ（ＤＣ）アレンジメントにおいてセカンダリ基地局（ＳｅＮＢ）として動作可能である、基地局との直接コネクションを前記近隣基地局が有していることを示す情報を、前記近隣基地局から取得するコントローラと、
を具備する基地局。
【０１７０】
（付記１０）
通信ネットワークのための移動管理エンティティであって、
少なくとも１つの無線ローカルエリアネットワーク（ＷＬＡＮ）に関連して自動近隣関係オペレーションを実行する基地局による要求を受けたときに、前記ＷＬＡＮのノードに関連づけられたアドレスを取得するコントローラと、
前記ＷＬＡＮの前記ノードに関連付けられた前記取得されたアドレスを、前記基地局へ送信するトランシーバと、
を具備する移動管理エンティティ。
【０１７１】
（付記１１）
前記基地局による前記要求は、前記ＷＬＡＮの前記ノードに関連づけられたアドレスの転送をトリガするシグナリングメッセージ（例えば、ｅＮＢ設定転送メッセージ又はＷＴアドレスディスカバリメッセージ）を含む、
付記１０記載の移動管理エンティティ。
【０１７２】
（付記１２）
前記コントローラは、（例えば、完全修飾ドメインネーム（ＦＱＤＮ）手順及び／又はアクセスネットワーククエリプロトコル（ＡＮＱＰ）手順を用いて）、前記ＷＬＡＮの前記ノードに関連付けられた前記アドレスを、情報サービス又はドメインネームシステムノードから取得する、
付記１０又は１１に記載の移動管理エンティティ。
【０１７３】
（付記１３）
通信ネットワークのための通信デバイスであって
無線ローカルエリアネットワーク（ＷＬＡＮ）のアクセスポイントから、前記ＷＬＡＮのノードのアドレスを識別する情報を取得するコントローラと、
前記ＷＬＡＮに関連した自動近隣関係オペレーション（automatic neighbour relation operation）の一部として、前記取得された情報を前記基地局へ提供するトランシーバと、
を具備する通信デバイス。
【０１７４】
（付記１４）
前記コントローラは、前記基地局のセルを介した通信と前記ＷＬＡＮのアクセスポイントを介した通信との同時通信のために、複数のリソースを集約する、
付記１３記載の通信デバイス。
【０１７５】
（付記１５）
前記トランシーバは、前記ＷＬＡＮを識別する識別子を前記ＷＬＡＮから受信し、前記受信した識別子をメジャメントレポートにおいて前記基地局へ提供する、
付記１３又は１４に記載の通信デバイス。
【０１７６】
（付記１６）
前記トランシーバは、前記識別子によって識別される前記ＷＬＡＮのノードの前記アドレスを前記通信デバイスが読み取ることを要求するためのメッセージを、前記メジャメントレポートを送信した後に基地局から受信し、
前記コントローラは、前記要求メッセージに応じて、前記ＷＬＡＮの前記ノードの前記アドレスを取得する、
付記１５記載の通信デバイス。
【０１７７】
（付記１７）
前記受信されたメッセージは、さらに、前記ＷＬＡＮに関連づけられた公衆陸上移動体ネットワーク（ＰＬＭＮ）を識別する情報（例えば、ＰＬＭＮ−ＩＤ）、前記アクセスポイントがＬＴＥ−ＷＬＡＮ集約（ＬＷＡ）機能をサポートしていることを識別する情報（例えば、「ＬＷＡ−サポートインジケータ」）、及び、前記ＷＬＡＮの前記ノードを識別する情報（例えば、「ＷＴ  ＩＤ）のうちの少なくとも１つを上記通信デバイスが読み取ることを要求し、
前記コントローラは、前記ＷＬＡＮと関連付けられたＰＬＭＮを識別する前記情報、前記アクセスポイントがＬＷＡ機能をサポートしていることを識別する前記情報、及び、前記ＷＬＡＮの前記ノードを識別する前記情報のうちの少なくとも１つを取得する、
付記１６記載の通信デバイス。
【０１７８】
（付記１８）
通信ネットワークのためのアクセスポイントであって、
前記アクセスポイントが属する無線ローカルエリアネットワーク（ＷＬＡＮ）のノードのアドレスをブロードキャストするトランシーバを具備する、
アクセスポイント。
【０１７９】
（付記１９）
前記トランシーバは、さらに、前記ＷＬＡＮに関連付けられた公衆陸上移動体ネットワーク（ＰＬＭＮ）を識別する情報（例えば、ＰＬＭＮ−ＩＤ）、前記アクセスポイントがＬＴＥ−ＷＬＡＮ集約（ＬＷＡ）機能をサポートしていることを識別する情報（例えば、「ＬＷＡ−サポートインジケータ」）、及び、前記ＷＬＡＮの前記ノードを識別する情報（例えば、「ＷＴ  ＩＤ」）のうちの少なくとも１つをブロードキャストする、
付記１８記載のアクセスポイント。
【０１８０】
（付記２０）
付記１から９のいずれか１項に記載の基地局と、
付記１０から１２のいずれか１項に記載の移動管理エンティティと、
通信デバイスと、
を具備するシステム。
【０１８１】
（付記２１）
付記１から９のいずれか１項に記載の基地局と、
移動管理エンティティと、
付記１３から１７のいずれか１項に記載の通信デバイスと、
付記１８又は１９に記載のアクセスポイントと、
を具備するシステム。
【０１８２】
（付記２２）
通信ネットワークの基地局によって実行される方法であって、
少なくとも１つの無線ローカルエリアネットワーク（ＷＬＡＮ）に関連して、自動近隣関係オペレーションを実行し、
前記ＷＬＡＮノードに関連づけられたアドレスを、前記通信デバイス及び移動管理エンティティのうちの少なくとも１つから、取得し、
前記取得されたアドレスを用いて、前記ＷＬＡＮの前記ノードとの間でコネクションを確立する、
方法。
【０１８３】
（付記２３）
通信ネットワークの基地局によって実行される方法であって、
前記近隣基地局から、前記近隣基地局が無線ローカルエリアネットワーク（ＷＬＡＮ）のノードとの直接コネクションを有していることを示す情報を、取得する、
方法。
【０１８４】
（付記２４）
通信ネットワークの基地局によって実行される方法であって、
デュアルコネクティビティ（ＤＣ）アレンジメントにおいてセカンダリ基地局（ＳｅＮＢ）として動作可能である、基地局との直接コネクションを前記近隣基地局が有していることを示す情報を、前記近隣基地局から取得する、
方法。
【０１８５】
（付記２５）
通信ネットワークの移動管理エンティティによって実行される方法であって、
少なくとも１つの無線ローカルエリアネットワーク（ＷＬＡＮ）に関連して自動近隣関係オペレーションを実行する基地局による要求を受けたときに、前記ＷＬＡＮのノードに関連づけられたアドレスを取得し、
前記ＷＬＡＮの前記ノードに関連付けられた前記取得されたアドレスを、前記基地局へ送信する、
方法。
【０１８６】
（付記２６）
通信ネットワークのための通信デバイスによって実行される方法であって、
無線ローカルエリアネットワーク（ＷＬＡＮ）のアクセスポイントから、前記ＷＬＡＮのノードのアドレスを識別する情報を取得し、
前記ＷＬＡＮに関連した自動近隣関係オペレーションの一部として、前記取得された情報を前記基地局へ提供する、
方法。
【０１８７】
（付記２７）
アクセスノードによって実行される方法であって、
前記アクセスポイントが属する無線ローカルエリアネットワーク（ＷＬＡＮ）のノードのアドレスをブロードキャストする、
方法。
【０１８８】
（付記２８）
プログラマブルコンピュータデバイスに付記２２から２７のいずれか１項に記載の方法を実行させる、コンピュータが実行可能な命令群を有する、コンピュータプログラム。
【０１８９】
本発明をその例示的な実施形態を参照して具体的に示し説明したが、本発明はこれらの実施形態に限定されない。
当業者であれば、特許請求の範囲によって規定される本発明の思想及び範囲から逸脱することなく、形態及び詳細の様々な変更を行うことができることが理解されよう。
【０１９０】
本出願は、２０１６年５月１３日に出願された英国出願１６０８４９２．３を基礎とする優先権を主張し、その開示の全てをここに取り込む。
【図１】
2019519965.tif 000007
【図２】
2019519965.tif 000008
【図３】
2019519965.tif 000009
【図４】
2019519965.tif 000010
【図５】
2019519965.tif 000011
【図６】
2019519965.tif 000012
【図７】
2019519965.tif 000013
【図８】
2019519965.tif 000014
【図９】
2019519965.tif 000015
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
通信ネットワークの基地局によって実行される方法であって、
無線ローカルエリアネットワーク（ＷＬＡＮ）のＷＬＡＮ終端（ＷＴ）ノードとのＸｗコネクションを確立し、
前記ＷＴノードから、前記ＷＴノードとのコネクションを有している少なくとも１つの近隣基地局を示す情報を、Ｘｗセットアップ応答メッセージ又はＷＴ設定アップデートメッセージにおいて取得する、
方法。
【請求項２】
前記ＷＴノードから、前記ＷＴノードを識別する情報、前記ＷＬＡＮのアクセスポイント群のリスト、及び、前記ＷＬＡＮを識別するための識別子の少なくとも１つを取得する、
請求項１記載の方法。
【請求項３】
前記ＷＬＡＮを識別するための識別子は、サービスセット識別子（ＳＳＩＤ）、ホモジニアス拡張サービスセット識別子（ＨＥＳＳＩＤ）、及び／又は、基本サービスセット識別子（ＢＳＳＩＤ））のうちの少なくとも１つを含む、
請求項１又は２に記載の方法。
【請求項４】
前記取得された情報に基づいて、ハンドオーバ手順をさらに実行する、
請求項１から３のいずれか１項に記載の方法。
【請求項５】
無線ローカルエリアネットワーク（ＷＬＡＮ）のＷＬＡＮ終端（ＷＴ）ノードによって実行される方法であって、
基地局とＸｗコネクションを確立し、
前記ＷＴノードとのコネクションを有している、少なくとも１つの近隣基地局を示す情報を、Ｘｗセットアップ応答メッセージ又はＷＴ設定アップデートメッセージにおいて、前記基地局へ送信する、
方法。
【請求項６】
前記ＷＴノードを識別する情報、前記ＷＬＡＮのアクセスポイント群のリスト、及び、前記ＷＬＡＮを識別するための識別子の少なくとも１つを、前記基地局へ送信する、
請求項５記載の方法。
【請求項７】
前記ＷＬＡＮを識別するための識別子は、サービスセット識別子（ＳＳＩＤ）、ホモジニアス拡張サービスセット識別子（ＨＥＳＳＩＤ）、及び／又は、基本サービスセット識別子（ＢＳＳＩＤ））のうちの少なくとも１つを含む、
請求項５又は６に記載の方法。
【請求項８】
通信ネットワークのための基地局であって、
無線ローカルエリアネットワーク（ＷＬＡＮ）のＷＬＡＮ終端（ＷＴ）ノードとのＸｗコネクションを確立する確立手段と、
前記ＷＴノードから、前記ＷＴノードとのコネクションを有している少なくとも１つの近隣基地局を示す情報を、Ｘｗセットアップ応答メッセージ又はＷＴ設定アップデートメッセージにおいて取得する取得手段と、
を具備する基地局。
【請求項９】
前記取得手段は、前記ＷＴノードから、前記ＷＴノードを識別する情報、前記ＷＬＡＮのアクセスポイント群のリスト、及び、前記ＷＬＡＮを識別するための識別子の少なくとも１つを取得する、
請求項８記載の基地局。
【請求項１０】
前記ＷＬＡＮを識別するための識別子は、サービスセット識別子（ＳＳＩＤ）、ホモジニアス拡張サービスセット識別子（ＨＥＳＳＩＤ）、及び／又は、基本サービスセット識別子（ＢＳＳＩＤ））のうちの少なくとも１つを含む、
請求項８又は９に記載の基地局。
【請求項１１】
前記取得された情報に基づいて、ハンドオーバ手順を実行する手段をさらに具備する、
請求項８から１０のいずれか１項に記載の基地局。
【請求項１２】
無線ローカルエリアネットワーク（ＷＬＡＮ）のＷＬＡＮ終端（ＷＴ）ノードであって、
基地局とＸｗコネクションを確立する確立手段と、
前記ＷＴノードとのコネクションを有している、少なくとも１つの近隣基地局を示す情報を、Ｘｗセットアップ応答メッセージ又はＷＴ設定アップデートメッセージにおいて、前記基地局へ送信する送信手段と、
を具備するＷＴノード。
【国際調査報告】
2019519965.tif 000016
2019519965.tif 000017